(57)【特許請求の範囲】
【請求項１】
複数本の曲線状の部材を組み合わせた泡立て部を一端に有し、かつ他端に取っ手を有する本体部と、
両端が開口した筒状であって、一端から前記泡立て部が外部に露出し、他端から前記取っ手が外部に露出するように前記本体部が挿入された持ち手部と、
を備え、
前記泡立て部は、前記取っ手が前記持ち手部から遠ざかるように前記本体部を前記持ち手部に対してスライドさせることで、前記持ち手部の内部に引き込まれ、
前記曲線状の部材は、先端に球状の止め部材を備え、
前記泡立て部が前記持ち手部の内部に引き込まれることで前記曲線状の部材が寄せ集められ、
前記止め部材が前記持ち手部の一端に引っ掛かることによって、前記泡立て部の前記持ち手部の内部への引き込みが停止する、
ことを特徴とする泡立て器。
【請求項２】
前記曲線状の部材および前記止め部材は、
シリコン樹脂で形成される、
請求項１に記載の泡立て器。
【請求項３】
前記持ち手部は、
前記泡立て部側の開口幅が前記取っ手側の開口幅より狭い、
ことを特徴とする請求項１または２に記載の泡立て器。
【請求項４】
前記持ち手部は、
第１の半円筒部材と第２の半円筒部材とを、円周方向両端それぞれを突き合わせて形成された円筒状である、
請求項１から３のいずれか一項に記載の泡立て器。
【請求項５】
前記第１の半円筒部材は、突起を有する受け部を備え、
前記第２の半円筒部材は、前記突起に掛かる留め具を備え、
前記第１の半円筒部材と前記第２の半円筒部材とは、前記第１の半円筒部材が前記第２の半円筒部材に対して、前記泡立て部から前記取っ手に向かう方向を軸に回転可能に蝶番で連結されている、
ことを特徴とする請求項４に記載の泡立て器。
【発明の詳細な説明】
【技術分野】
【０００１】
本発明は、泡立て器に関する。
【背景技術】
【０００２】
泡立て器は、例えば特許文献１に開示されたように、曲げ加工した複数本の部材で構成される泡立て部を備える。当該泡立て器によれば、調理などの材料を、泡立て部でかき混ぜることで、空気が材料に十分に取り込まれ、効率よく材料を泡立てることができる。
【先行技術文献】
【特許文献】
【０００３】
【特許文献１】特開２００９−１１７７８号公報
【発明の概要】
【発明が解決しようとする課題】
【０００４】
しかし、上記特許文献１に開示された泡立て器では、泡立て部の内側に材料および泡が入り込んで残ってしまう。泡立て器に付着した材料および泡は、泡立て部をボウルの縁に叩きつけたり、ゴムベラで落としたりしても、十分に取り除けない。したがって、上述の泡立て器では、付着した材料などを取り除くのにかなりの手間を要する上に、材料を無駄にするという不都合があった。
【０００５】
本発明は、上記実情に鑑みてなされたものであり、泡立て器に付着した材料を、手間をかけることなく、無駄なく十分に取り除くことができる泡立て器を提供することを目的とする。
【課題を解決するための手段】
【０００６】
上記目的を達成するため、本発明の泡立て器は、
複数本の曲線状の部材を組み合わせた泡立て部を一端に有し、かつ他端に取っ手を有する本体部と、
両端が開口した筒状であって、一端から前記泡立て部が外部に露出し、他端から前記取っ手が外部に露出するように前記本体部が挿入された持ち手部と、
を備え、
前記泡立て部は、前記取っ手が前記持ち手部から遠ざかるように前記本体部を前記持ち手部に対してスライドさせることで、前記持ち手部の内部に引き込まれ、
前記曲線状の部材は、先端に球状の止め部材を備え、
前記泡立て部が前記持ち手部の内部に引き込まれることで前記曲線状の部材が寄せ集められ、
前記止め部材が前記持ち手部の一端に引っ掛かることによって、前記泡立て部の前記持ち手部の内部への引き込みが停止する。
【０００８】
また、前記曲線状の部材および前記止め部材は、
シリコン樹脂で形成される、
こととしてもよい。
【０００９】
また、前記持ち手部は、
前記泡立て部側の開口幅が前記取っ手側の開口幅より狭い、
こととしてもよい。
【００１０】
また、前記持ち手部は、
第１の半円筒部材と第２の半円筒部材とを、円周方向両端それぞれを突き合わせて形成した円筒状である、
こととしてもよい。
【００１１】
また、前記第１の半円筒部材は、突起を有する受け部を備え、
前記第２の半円筒部材は、前記突起に掛かる留め具を備え、
前記第１の半円筒部材と前記第２の半円筒部材とは、前記第１の半円筒部材が前記第２の半円筒部材に対して、前記泡立て部から前記取っ手に向かう方向を軸に回転可能に蝶番で連結されている、
こととしてもよい。
【発明の効果】
【００１２】
本発明によれば、泡立て器に付着した材料を、手間をかけることなく、無駄なく十分に取り除くことができる。
【図面の簡単な説明】
【００１３】
【図１】本発明の実施の形態に係る泡立て器の外観を示す図である。
【図２】図１に示す泡立て器の本体部の外観を示す図である。
【図３】図１に示す泡立て器において持ち手部を透視した図を示す。
【図４】持ち手部を開いた状態を示す図である。（ａ）は、持ち手部の内周面を示す図である。（ｂ）は、持ち手部の外周面を示す図である。
【図５】持ち手部を閉じた状態を示す図である。（ａ）は、持ち手部の受け部および留め具側の外観を示す図である。（ｂ）は、持ち手部の蝶番側の外観を示す図である。
【図６】取っ手が持ち手部から遠ざかるように本体部を持ち手部に対してスライドさせたときの泡立て器を示す図である。
【発明を実施するための形態】
【００１４】
本発明に係る実施の形態について図面を参照して説明する。なお、本発明は下記の実施の形態及び図面によって限定されるものではない。下記の実施の形態及び図面に変更を加えることができるのはもちろんである。
【００１５】
本発明の実施の形態について説明する。本実施の形態に係る泡立て器１００は、図１に示すように、本体部１と、持ち手部２と、を備える。
【００１６】
まず、本体部１について説明する。図２に示すように、本体部１は、複数本の曲線状の部材３を組み合わせた泡立て部４を一端に有する。曲線状の部材３は、曲線状であれば、任意の形状を採用できる。例えば、曲線状の部材３は、Ｕ字形状および茶筅様の形状などである。曲線状の部材３は、先端に球状の止め部材５を備える。曲線状の部材３各々が止め部材５を備えてもよいし、あるいは、複数本の曲線状の部材３の一部、例えば、外縁に配置された曲線状の部材３が先端に球状の止め部材５を備えていてもよい。曲線状の部材３および止め部材５は、ステンレスおよびプラスチックなどの任意の物質で形成される。特に好ましくは、曲線状の部材３および止め部材５は、シリコン樹脂で形成される。
【００１７】
本体部１は、他端に取っ手６を有する。取っ手６は、使用者が握ったり、つまんだり、指をかけられたりするものであれば、特に限定されない。泡立て器１００を収納する際、壁に固定されたフック状部材などに吊るすことができるように、取っ手６は、リング状であることが好ましい。
【００１８】
次に、持ち手部２について説明する。図３は、図１に示す持ち手部２を透視した図を示す。持ち手部２は、両端が開口した筒状である。持ち手部２は、泡立て部４側の開口幅ｄ１が取っ手６側の開口幅ｄ２より狭い。持ち手部２は、一端から泡立て部４が外部に露出し、他端から取っ手６が外部に露出するように本体部１が挿入される。
【００１９】
より詳細には、持ち手部２は、半円筒部材７と半円筒部材８とを、円周方向両端それぞれを突き合わせて形成された円筒状である。図４（ａ）に示すように、半円筒部材７は、突起を有する受け部９を備える。また、半円筒部材８は、当該突起に掛かる留め具１０を備える。受け部９および留め具１０としては、具体的には引っ掛けパチン錠などが挙げられる。
【００２０】
さらに、図４（ｂ）に示すように、半円筒部材７と半円筒部材８とは、半円筒部材７が半円筒部材８に対して、泡立て部４から取っ手６に向かう方向を軸に回転可能に蝶番１１で連結されている。
【００２１】
図５（ａ）および図５（ｂ）に示すように、蝶番１１の軸芯を軸に半円筒部材８に対して回転させることで、半円筒部材７および半円筒部材８の円周方向両端それぞれが突き合わせられ、円筒が形成される。留め具１０を、受け部９の突起に掛けることで、持ち手部２を閉じた状態に維持できる。一方、留め具１０を、受け部９の突起から外すことで、持ち手部２を開くことができる。
【００２２】
次に、図６を参照しながら、泡立て器１００の動作について説明する。取っ手６が持ち手部２から遠ざかるように本体部１を持ち手部２に対してスライドさせると（図６（ａ）参照）、泡立て部４は、持ち手部２の内部に引き込まれる（図６（ｂ）参照）。
【００２３】
泡立て部４が持ち手部２の内部に引き込まれることで、止め部材５が寄せ集められる（図６（ｂ）参照）。本体部１をさらにスライドさせると、止め部材５が持ち手部２の一端に引っ掛かることによって、泡立て部４の持ち手部２の内部への引き込みが停止する（図６（ｃ）参照）。
【００２４】
以上詳細に説明したように、本実施の形態に係る泡立て器１００は、泡立て部４が持ち手部２の内部に引き込まれるため、泡立て器１００に付着した材料を、手間をかけることなく、無駄なく十分に取り除くことができる。また、使用者の手を汚すこと、および材料が周辺に飛び散ることを防ぐこともできる。
【００２５】
なお、曲線状の部材３は、先端に球状の止め部材５を備えるようにした。こうすることで、泡立て部４を持ち手部２の内部にスライドさせて泡などを落とす際、止め部材５が持ち手部２の一端に引っ掛かることで泡立て部４の持ち手部２の内部への引き込みが停止するので、本体部１が持ち手部２から完全に引き抜かれることを防止できる。
【００２６】
また、本実施の形態では、曲線状の部材３および止め部材５は、シリコン樹脂で形成されてもよいこととした。シリコン樹脂は、泡立てに求められる適度な柔軟性を備えるうえ、耐熱性、耐薬品性および耐摩耗性に優れるため、泡立て器１００に好適である。
【００２７】
また、持ち手部２は、泡立て部４側の開口幅が取っ手６側の開口幅より狭いこととした。こうすることで、持ち手部２の内部に引き込まれた泡立て部４が十分に寄せ集められるため、泡立て器１００に付着した泡および材料を効率よく取り除くことができる。また、持ち手部２の内部に入り込む泡および材料を減らすことができる。
【００２８】
また、持ち手部２は、半円筒部材７と半円筒部材８とで形成された円筒状であるとした。これにより、持ち手部２が開閉可能となり、本体部１と持ち手部２とを分離することができる。このため、持ち手部２の内部にスライドした泡立て部４によって持ち手部２の内部に持ち込まれた泡および材料を、持ち手部２を本体部１から分離させて十分に洗浄することができる。
【００２９】
また、半円筒部材７と半円筒部材８とは、蝶番１１で連結され、受け部９および留め具１０を介して開閉可能に固定されているため、本体部１からの持ち手部２の取り外しが容易になり、調理中に生じる汚れの洗浄がさらに容易になる。
【００３０】
本発明は、本発明の広義の精神と範囲を逸脱することなく、様々な実施形態及び変形が可能とされるものである。また、上述した実施形態は、本発明を説明するためのものであり、本発明の範囲を限定するものではない。すなわち、本発明の範囲は、実施形態ではなく、特許請求の範囲によって示される。そして、特許請求の範囲内及びそれと同等の発明の意義の範囲内で施される様々な変形が、本発明の範囲内とみなされる。
【産業上の利用可能性】
【００３１】
本発明は、調理用具に好適である。
【符号の説明】
【００３２】
１  本体部
２  持ち手部
３  曲線状の部材
４  泡立て部
５  止め部材
６  取っ手
７、８  半円筒部材
９  受け部
１０  留め具
１１  蝶番
１００  泡立て器
【要約】
【課題】泡立て器に付着した材料を、手間をかけることなく、無駄なく十分に取り除くことができる泡立て器を提供する。
【解決手段】泡立て器１００は、複数本の曲線状の部材３を組み合わせた泡立て部４を一端に有し、かつ他端に取っ手６を有する本体部１と、両端が開口した筒状であって、一端から泡立て部４が外部に露出し、他端から取っ手６が外部に露出するように本体部１が挿入された持ち手部２と、を備える。泡立て部４は、取っ手６を持ち手部２から遠ざかるように本体部１を持ち手部２に対してスライドさせることで、持ち手部２の内部に引き込まれる。
【選択図】図２【図１】
0005825702.tif 000002
【図２】
0005825702.tif 000003
【図３】
0005825702.tif 000004
【図４】
0005825702.tif 000005
【図５】
0005825702.tif 000006
【図６】
0005825702.tif 000007